【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
埋入可能な医療プロテーゼであって、
よこ糸通過と織り合わされるベースたて糸を備える織られたベースであり、前記織られたベースの前記たて糸の少なくとも一部は、第１の交絡の頻度を有するように織られており、プロテーゼのより小直径の部分及びより大直径の部分を少なくとも部分的に形成する、織られたベースと、
前記より小直径の部分と前記より大直径の部分との両方の一部を形成し、前記第１の交絡の頻度よりも小さい第２の交絡の頻度を有するように、前記よこ糸通過と織り合わされた１つ又は複数のベロア糸と、
前記より大直径の部分の少なくとも一部において、前記第２の交絡の頻度で前記よこ糸通過と織り合わされた１つ又は複数の前記ベロア糸のうちの少なくとも１つが、前記織られたベースの中に組み込まれ、前記第２の交絡の頻度より大きい交絡の頻度を有するように前記よこ糸通過と織り合わされる、
埋入可能な医療プロテーゼ。
【請求項２】
前記より小直径の部分内で、１つ又は複数の前記ベロア糸のうちの少なくとも１つが、前記織られたベースの中に組み込まれず、前記織られたベースと一致する織パターンを呈さない、請求項１に記載の埋入可能な医療プロテーゼ。
【請求項３】
前記ベースたて糸間の間隔が、前記より小直径の部分にある以上に付加的なたて糸を前記より大直径の部分に追加することなく、前記より小直径の部分及び前記より大直径の部分においてほぼ同じに維持される、請求項１に記載の埋入可能な医療プロテーゼ。
【請求項４】
前記より小直径の部分から前記より大直径に移行する前記プロテーゼの直径の増加が、前記プロテーゼを織っている間に前記ベースたて糸間の間隔を増加させることによってもたらされる、請求項１に記載の埋入可能な医療プロテーゼ。
【請求項５】
前記より大直径の部分の織られたベースの中に組み込まれる１つ又は複数の前記ベロア糸のうちの少なくとも１つによって、前記より大直径の部分の直径を減少させずに、前記より大直径の部分における前記ベースたて糸間の間隔をより小さくすることができる、請求項３に記載の埋入可能な医療プロテーゼ。
【請求項６】
前記プロテーゼが、概して管状のグラフトであり、前記より大直径の部分が、前記グラフトの長手方向の軸線に沿って直径が変化する前記グラフトの部分内にあり、前記より小直径の部分が、概して一様な直径を有する前記グラフトの部分内にある、請求項１に記載の埋入可能な医療プロテーゼ。
【請求項７】
前記プロテーゼが、概して管状のグラフトであり、前記より大直径の部分及び前記より小直径の部分が、前記グラフトの長手方向の軸線に沿った直径に関して前記プロテーゼの部分内にある、請求項１に記載の埋入可能な医療プロテーゼ。
【請求項８】
前記より小直径の部分の少なくとも一部において、１つ又は複数の前記ベロア糸が、前記より大直径の部分には全く存在しない又はより小さく存在する浮きを呈する、請求項１に記載の埋入可能な医療プロテーゼ。
【請求項９】
前記より小直径の部分における前記ベースたて糸間の間隔が、前記より大直径の部分における間隔のサイズの３０％以内である、請求項１に記載の埋入可能な医療プロテーゼ。
【請求項１０】
前記ベースたて糸及び前記ベロア糸の量が、前記より大直径の部分において前記より小直径の部分と同じであり、前記ベースたて糸及び前記ベロアたて糸が、前記より小直径の部分と前記より大直径の部分との間で連続して織られる、請求項１に記載の埋入可能な医療プロテーゼ。
【請求項１１】
前記プロテーゼが、前記より小直径の部分及び前記より大直径の部分のうちの少なくとも１つの上に配置される第２の織られた層を備え、前記第２の層を形成する糸の一部が、前記より大きい部分の前記ベース層の中に組み込まれる、請求項１に記載の埋入可能な医療プロテーゼ。
【請求項１２】
埋入可能な医療プロテーゼであって、
よこ糸通過と織り合わされるたて糸を備え、前記たて糸のすべて又は一部が前記よこ糸通過と一緒に織られて、織られた構造体の織られたベースを形成する、織られた構造体、
を含み、
前記織られた構造体の第１の部分が前記たて糸の第１の組と共に織られ、前記よこ糸通過と織り合わされる前記たて糸の第１の組の第１のサブセットが前記第１の部分における前記織られたベースを形成し、前記第１の部分の前記第１のサブセットにおける前記たて糸のうちの２つが前記プロテーゼの表面に沿って互いから第１の距離だけ横方向に離間され、前記第１の距離が、前記プロテーゼの表面に沿った前記第１の部分の前記たて糸の第１の組の前記第１のサブセットにおける前記たて糸のいかなる他の対間のいかなる間隔よりも大きく、
前記織られた構造体の第２の部分が、前記第１の部分に関して縦方向にオフセットされた位置において、前記医療プロテーゼ内に位置し、前記第２の部分が、前記たて糸の第１の組と共に織られ、前記よこ糸通過と織り合わされる前記たて糸の第１の組の第２のサブセットが前記第２の部分における前記織られたベースを形成し、前記第２の部分の前記たて糸の第１の組の前記第２のサブセットにおける前記たて糸のうちの２つが前記プロテーゼの表面に沿って互いから第２の距離だけ横方向に離間され、前記第２の距離が、前記プロテーゼの表面に沿った前記第２の部分の前記第２のサブセットにおける前記たて糸のいかなる他の対間のいかなる間隔よりも大きく、
前記第２の距離が前記第１の距離よりも大きく、前記第１のサブセットにおけるたて糸の数が前記第２のサブセットにおけるたて糸の数よりも少ない、
埋入可能な医療プロテーゼ。
【請求項１３】
前記よこ糸通過と織り合わされ且つ前記織られたベースの中に配置される前記たて糸の部分がベース織パターンで構成され、前記織られたベースの中に配置されない前記たて糸の別の部分がベロアたて糸である、請求項１２に記載の埋入可能な医療プロテーゼ。
【請求項１４】
前記プロテーゼが、概して管状のグラフトであり、前記第１の部分が前記グラフトの長手方向の軸線に沿った第１の直径を有し、前記第２の部分が前記第１の直径よりも大きい前記長手方向の軸線に沿った第２の直径を有する、請求項１２に記載の埋入可能な医療プロテーゼ。
【請求項１５】
前記織られたベースを形成する前記第１のサブセットの中にない前記たて糸の前記第１の部分が、前記第２の部分には全く存在しない又はより小さく存在する浮きを呈する、請求項１２に記載の埋入可能な医療プロテーゼ。
【請求項１６】
第１の端及び第２の端をさらに備え、本質的にすべての前記たて糸が前記第１の端と前記第２の端との間に延びる、請求項１２に記載の埋入可能な医療プロテーゼ。
【請求項１７】
前記プロテーゼが、前記第１の部分及び前記第２の部分のうちの少なくとも１つの上に配置される第２の織られた構造体を備え、前記第２の織られた構造体を形成する糸の一部が前記第２の部分の前記織られたベースの中に組み込まれる、請求項１２に記載の埋入可能な医療プロテーゼ。
【請求項１８】
第１の端及び第２の端をさらに備え、本質的にすべての前記たて糸が前記第１の端と前記第２の端との間で連続的に織られる、請求項１２に記載の埋入可能な医療プロテーゼ。
【請求項１９】
前記たて糸の第１の組は、量Ｎであり、前記第１のサブセットは、Ｎ−１，Ｎ−２，Ｎ−３の量であり、前記第２のサブセットは、前記第１のサブセットより多い量である、請求項１２に記載の埋入可能な医療プロテーゼ。
【請求項２０】
前記Ｎは、６の値を有する、請求項１９に記載の埋入可能な医療プロテーゼ。
【請求項２１】
すべての前記たて糸が前記第１の端と前記第２の端との間で前記よこ糸通過と連続的に織られる、請求項１６に記載の埋入可能な医療プロテーゼ。
【請求項２２】
埋入可能な医療プロテーゼであって、
よこ糸通過と織り合わされるベースたて糸を備える織られたベースであり、プロテーゼのより小直径の部分及びより大直径の部分を少なくとも部分的に形成する、ベースと、
前記より小直径の部分と前記より大直径の部分との両方の一部を形成し、前記よこ糸通過と織り合わされた１つ又は複数の付加的なたて糸と、
を備え、
前記より小直径の部分ではなく前記より大直径の部分の少なくとも一部において、１つ又は複数の付加的な前記たて糸のうちの少なくとも１つが、前記織られたベースの中に組み込まれ、且つ前記織られたベースと同一の交路の頻度を有する織パターンを呈する、
埋入可能な医療プロテーゼ。
【請求項２３】
埋入可能な医療プロテーゼであって、
織られたベースを備え、前記ベースが、近位管状部分、より大直径の部分、及び遠位管状部分の側壁のすべて又は一部を形成し、前記より大直径の部分が最大直径を備え、前記最大直径が前記近位管状部分内の測定された直径よりも４ミリメートル以上長く、前記より大直径の部分が、前記近位管状部分内の測定された直径の７５パーセントから１５０パーセントまでの間の長さを有し、前記近位管状部分と前記より大直径の部分が、前記織られたベース内の前記よこ糸通過と共に織られる前記たて糸に関する前記織られたベース内の糸間隔と実質的に一様な糸を有するプロテーゼを含み、
前記プロテーゼは、よこ糸通過と織り合わされる前記たて糸の少なくとも一部からなる、非ベース層を備え、前記非ベース層内の前記たて糸の密度は、前記より大直径の部分において、前記近位管状部分、及び前記遠位管状部分の少なくとも１つより小さい、埋入可能な医療プロテーゼ。
【請求項２４】
前記よこ糸通過が、前記近位管状部分、前記より大直径の部分、及び前記遠位管状部分の全体を通して同じ糸材料特性及び収縮特性で織られる、請求項２３に記載の埋入可能な医療プロテーゼ。
【請求項２５】
前記よこ糸通過が、前記近位管状部分、前記より大直径の部分、及び前記遠位管状部分の全体を通して同じよこ糸と共に織られる、請求項２３に記載の埋入可能な医療プロテーゼ。
【請求項２６】
前記より大直径の部分が、前記近位管状部分及び前記遠位管状部分とシームレスに織られる、請求項２３に記載の埋入可能な医療プロテーゼ。
【請求項２７】
前記近位管状部分、前記より大直径の部分、及び前記遠位管状部分を形成するのに同じ量のたて糸が用いられる、請求項２３に記載の埋入可能な医療プロテーゼ。
【請求項２８】
前記より大直径の部分が、１２０ミリメートルマーキュリーの加圧条件下で寸法的に安定であるように構成される、請求項２３に記載の埋入可能な医療プロテーゼ。
【請求項２９】
前記より大直径の部分が、１２０ミリメートルマーキュリーの流体加圧条件下でその直径を維持するように構成される、請求項２３に記載の埋入可能な医療プロテーゼ。
【請求項３０】
前記より大直径の部分の前記最大直径での前記織られたベースが、波形、プリーツ、及び捲縮のうちの少なくとも１つをもたない、請求項２３に記載の埋入可能な医療プロテーゼ。
【請求項３１】
前記より大直径の部分が、１２０ミリメートルマーキュリーの加圧条件下で寸法的に安定である、請求項２３に記載の埋入可能な医療プロテーゼ。
【請求項３２】
埋入可能な医療プロテーゼであって、
第１の開口端と、第２の開口端と、その間に配置された側壁とを有する管状の構造と、
前記大直径部分の直径より小さい直径を有する、前記第１の開口端と、前記大直径部分との間に位置する前記管状の構造の部分と
を備え、
前記管状の構造は、（ｉ）前記管状の構造の長手方向に沿って位置するが、前記第１の開口端において位置しておらず、（ｉｉ）第１の開口端にテーパする、大直径部分を備え、
前記管状の構造の側壁は、前記第１の開口端と、前記第２の開口端との間で、複数のよこ糸通過と連続的に織り合わされる、複数のたて糸を備え、
前記第１の開口端に向かう方向において、前記大直径部分と前記第１の開口端との間をテーパする前記管状の構造の一部は、ベース層としてより、ベロア層として織られるたて糸の増加した割合を有する、埋入可能な医療プロテーゼ。